(57)【特許請求の範囲】
【請求項１】
頭部、胴体部、左右の上腕部、左右の前腕部、左右の大腿部、左右の下腿部からなる訓練用人形であり、
可撓性のある帯状部材で、その両端が輪状に接続する複数の帯状部材を用い、輪の内部に空間を有するよう、立体的かつ格子状に直交させて編み込むことにより、左右の上腕部と前腕部をそれぞれ作成し、
上記上腕部と上記前腕部を直線状に接して配置し、その直線の方向に体前面側を通して編み込まれる両部位の帯状部材を、共通の帯状部材を使用して編み込むことで上記上腕部と上記前腕部を接続し、かつ、上記上腕部と上記前腕部の接する面において、両部位を接続する帯状部材を体前面側のみに通して編み込むことで一方向のみに屈曲する肘関節を再現し、
可撓性のある帯状部材で、その両端が輪状に接続する複数の帯状部材を用い、輪の内部に空間を有するよう、立体的かつ格子状に直交させて編み込むことにより、左右の大腿部と下腿部をそれぞれ作成し、
上記大腿部と上記下腿部を直線状に接して配置し、その直線の方向に体背面側を通して編み込まれる両部位の帯状部材を、共通の帯状部材を使用して編み込むことで上記大腿部と上記下腿部を接続し、かつ、上記大腿部と上記下腿部の接する面において、両部位を接続する帯状部材を体背面側のみに通して編み込むことで一方向のみに屈曲する膝関節を再現することを特徴とする訓練用人形。
【請求項２】
可撓性のある帯状部材で、その両端が輪状に接続する複数の帯状部材を用い、輪の内部に空間を有するよう、立体的かつ格子状に直交させて編み込むことにより胴体部を作成し、
上記胴体部の上部の帯状部材の輪の左右に、請求項１に記載の左右の上腕部の端の面を構成する帯状部材の輪を通すことで上記胴体部に上記上腕部を接続し、
上記胴体部の下部の左右の帯状部材の輪に、請求項１に記載の左右の大腿部の端の面を構成する帯状部材の輪を通すことで上記胴体部に上記大腿部を接続することを特徴とする請求項１に記載の訓練用人形。
【請求項３】
請求項１または請求項２に記載の帯状部材において、輪になった帯状部材の両端の離脱および輪の大きさを変更できる構造にすることで、上記帯状部材の本数や輪の大きさを調整して体形を調整できることを特徴とする請求項１または請求項２に記載の訓練用人形。
【請求項４】
人形の内部空間に重りを配置し重量を調整できることを特徴とする請求項１乃至３のいずれかに記載の訓練用人形。
【発明の詳細な説明】
【技術分野】
【０００１】
本発明は、消防隊や自衛隊、警察などが行う各種災害を想定した救助訓練や救護訓練などにおいて使用する訓練用のダミー人形に関するものである。
【背景技術】
【０００２】
従来から、消防隊等の救助訓練において、人体を模した様々な訓練用ダミー人形が使用されている。それらの防災機関が、火災や地震、交通事故等、様々な災害を想定し訓練を実施する上で、濃煙内での被災者の検索活動や、抱き上げての搬送、又はロープで吊り揚げ等、各種活動を効果的に実施するためには、訓練用ダミー人形には訓練に耐えうる強度、人体再現性、安全性など、様々な要素が求められる。【０００３】
また、各種の災害において想定される被災者には、成人や小児、肥満や痩せた体形など、様々な体形、体重の違いがあるため、被災者のそのような各種条件に合わせた救助方法の訓練や検証が必要である。【０００４】
従来の救助訓練用の人形として、特許文献１に示されるものがある。特許文献１の救助訓練用人形は非常に精巧に設計されており、人体の再現性、強度は非常に高いものであるが、製造コスト及び価格が高いという難点がある。【０００５】
特許文献１の他に、特許文献２に示されるものがある。特許文献２の救助訓練用人形は、特許文献１の訓練人形に比べ安価であるが、頭部や頸部、手足において人体の再現性が低く、肘関節および膝関節があらゆる方向に屈曲し、実際の人体とは異なる姿勢や挙動をすることから、救助訓練での使用効果が低い。【０００６】
また、特許文献１および特許文献２の救助訓練用人形は、被災者として想定する人形の体形や重量は変更できず一定のものであるため、防災機関が訓練内容に応じ体形や重量の違う人形を使用したい場合は、また別の訓練用人形を準備しなければならなかった。
【先行技術文献】
【特許文献】
【０００７】
【特許文献１】特開2014−137504
【０００８】
【特許文献２】実用新案登録第３１９７４７５号
【発明の概要】
【発明が解決しようとする課題】
【０００９】
救助訓練等に必要とされる人体の再現性を備えつつ、破損時の修理が容易で、かつ、訓練内容に合わせて体形や重量を変更可能な機能を持つ救助訓練用人形を作成し提供する。
【課題を解決するための手段】
【００１０】
この課題を達成するため、第1の発明が解決する手段は、救助訓練用人形の各部位を、取り外しの容易な部材を複数組み合わせて作成することで、その部材の数や大きさを変更することにより、形状を変化させる構造とし、破損した場合の修理も容易にすることである。【００１１】
また、第2の発明は、取り外しの容易な平面状の可撓性のある部材を、内部空間を持たせるように丸みを持たせて複数組み合わせ、その内部に重り等を配置させることを可能としたことである。【００１２】
さらに、第3の発明は、救助訓練用人形の内部空間に複数の重りを配置し、人形の重量を自在に変更できようにすることで、様々な被災者の体重を再現できるようにしたことである。
【発明の効果】
【００１３】
本発明により作成された救助訓練用人形は、従来の訓練用人形では成しえなかった体形、および重量の可変性を持たせることが可能となり、一体の救助訓練用人形のみで、小児サイズから成人サイズまで様々な体形、体重を再現させることができること、また、四肢などの各部位の離脱が容易に行えるため、例えば、受傷した被災者の腕が切り離された状態を再現するなどといった、多種多様な被災者を想定した、バリエーションに富んだ救助訓練に対応できることから、消防隊等の救助活動能力等の向上に寄与することができる。【００１４】
また、頭部や胴体、腕部、脚部を構成する部材は、部分ごとに分離、交換が可能であるため、破損した場合は、その破損部分のみの交換で再使用でき、修理費用の削減と修理期間の短縮を図ることができる。【００１５】
この救助訓練用人形に使用する部材として、耐用年数の過ぎた消防ホースや、漏水等により使用できなくなった廃棄される消防ホースを回収し使用することで、コストを低く抑えることができる。消防ホースは、口径の異なる様々な太さのホースがあり、水を通していない状態では平面状に畳まれた状態であること、また耐摩耗性、耐候性等の強度に優れ、可撓性のある素材であることから、この救助訓練用人形に使用する部材として非常に適した素材である。【００１６】
さらに、重りとして人形内部に配置する密閉容器として、市販の飲料等に使用されているペットボトルを使用することで、コストを安く抑えた救助訓練用人形を作成できる。ペットボトルの太さや長さは様々な種類があるため、人形の頭部や腕部、脚部に配置するペットボトルを、実際の人体に合わせたサイズのものを複数組み合わせて配置することで、修理、交換する際も市販のペットボトルを活用できる。
【図面の簡単な説明】
【００１７】
【図１】本発明に係る成人を模した救助訓練用人形の一例を示す全体正面図である。
【図２】同救助訓練用人形の分解斜視図である。
【図３】同救助訓練用人形に使用する部材の一例を示す斜視図である。
【図４】同救助訓練用人形を小児に模して再構成した全体正面図である。
【図５】同救助訓練用人形の頭部の分解斜視図である。
【図６】同救助訓練用人形の肘関節部分の動き、および手の分解斜視図である。
【図７】同救助訓練用人形の膝関節部分の動き、および足の分解斜視図である。
【図８】同救助訓練用人形の内部に重りとして配置するペットボトルの配置図の一例である。
【発明を実施するための形態】
【００１８】
以下、本発明の実施の形態を図１〜図８に基づいて説明する。本実施形態では、部材の一例として、帯状の長く可撓性のある部材（以下、「帯状部材」という。）を使用し、その帯状部材を格子状に組み合わせることにより作成しているが、この部材および組み合わせ方法は、本発明の一実施形態に過ぎず、何らこれに限定して解釈されるものではなく、本発明の範囲内で適宜設計変更することが可能である。また、本実施形態では、頭部および手足については一体化されているため大きさの変更はできないが、それらの部位の一部、またはすべてを、部材を複数組み合わせた変形構造としてもよいため、そのような変形構造からなる部位の範囲について特にこだわるものではなく、本発明の範囲内で設計変更可能である。
【００１９】
本実施形態に使用する部材としては、廃棄される消防ホースを回収し使用することで製造コストを抑えられるが、他に繊維製品や天然ゴム、シリコーンゴムなど、平面状で、強度および可撓性がある素材であればよく、部材の素材に関し特にこだわるものではないが、伸縮性の高い素材は、訓練等での使用中に力が加わり、部材が伸びることで人形の形状が崩れ、内部空間の重りの位置が安定しないことから適していない。
【００２０】
本実施形態では、丸みを持たせて輪になった帯状部材を格子状、かつ内部空間を有するよう袋状に組み合わせる構造とし、かつ、その帯状部材の輪の大きさの調整、および輪の解除が可能な構造としている。ここでいう、「格子状で、かつ袋状に組み合わせる」とは、帯状部材が直角に交差し重なり合う箇所で、その一本一本が人形の内側、外側を交互に通り、外皮を形成しながら、内部空間を有するように立体的に編みこまれることをいう。なお、その立体的な形状が崩れなければ、必ずしも帯状部材を交互に外側、内側に通さずに、連続して内側または外側を通して編みこんでもよい。
【００２１】
本実施形態の救助訓練用人形においては、図１に示す成人、および図４に示す小児の２サイズに変形可能であるが、各部分を構成する帯状部材の本数や太さ、長さを変えることにより、さらに多段階的に体形の調整が可能な救助訓練用人形の作成ができるため、訓練に必要とされる体形、重量等の諸条件に応じ、適宜適したものに再設計し作成すればよい。また、帯状部材の輪の大きさを調整できる構造にせず、一定の長さで固定することで、体形を変更できる機能を有しない救助訓練用人形を作成することも可能である。
【００２２】
本実施形態の救助訓練用人形においては、頭部、胴体部、左腕、右腕、左脚、右脚を有するものである。それらの各部位において、帯状部材を格子状に組み合わされ構成される部分については、図３に示す帯状部材７を、それぞれの部位に適した長さ、および太さで準備し、これらを組み合わせて作成するものである。この帯状部材7は、例えば面ファスナー取り付け部８、および取り付け範囲を広くした面ファスナー取り付け部９などを設けることで、一定範囲内で輪の大きさを変えることができ、両端の離脱も可能である。この他に、着脱、大きさ調整のできる機構として、金属またはプラスチック製のバックルを使用することや、帯状部材に複数の切り込みを入れ、片端に取り付けた爪を掛けて固定する構造にしてもよい。
【００２３】
胴体部２は、作成したい体形の種類に適した長さ、および太さで作成した、図３で示す帯状部材７を、複数組み合わせて作成する。まず、図１および図２で示すように、胴体の帯状部材２０、胴体の帯状部材２１、胴体の帯状部材２２、胴体の帯状部材２３、胴体の帯状部材２４、胴体の帯状部材２５に対し、胴体の帯状部材２６、胴体の帯状部材２７、胴体の帯状部材２８を、格子状に編みこみ組み合わせた後、その上下左右の側面に、胴体側面の帯状部材２９を格子状に編みこみ、その両端を輪状に接続させることで、内部に空間を持った袋状の胴体部２が作成できる。このように、図３に示す帯状部材７を複数組み合わせる構造とすることで、胴体を構成する帯状部材が破損した場合には、その破損した帯状部材の面ファスナー等の接続箇所を離脱することで容易に交換、修理することができる。また、胴体を構成する帯状部材のいずれかの接続箇所を離脱することで、胴体部２の内部空間にアクセスし、重り等の配置、交換等を容易に行うことができる。
【００２４】
頭部１は、消防ホースでの作成の一例を元に説明する。図５で示すように、頭部ホース１１と頭部ホース１２の２本の消防ホースを適切な長さで切断し、それぞれの中央部分を頭頂部で直角に交差させる。そして、その交差箇所を、例えば縫製などにより接続し、２本のホースの頭部内側となる面から、頭部接続部１１Ａ、頭部接続部１１Ｂ、頭部接続部１１Ｃ、頭部接続部１１Ｄ、頭部接続部１２Ａ、頭部接続部１２Ｂ、頭部接続部１２Ｃ、頭部接続部１２Ｄを、顔面部および後頭部の長さに切り開く。頭部接続部１１Ａと頭部接続部１２Ａを重ね合わせて縫製などにより接続し、頭部接続部１１Ｂと頭部接続部１２Ｂを重ね合わせて縫製などにより接続し、頭部接続部１１Ｃと頭部接続部１２Ｃを重ね合わせて縫製などにより接続し、頭部接続部１１Ｄと頭部接続部１２Ｄを重ね合わせて縫製などにより接続することで、丸みを帯びた頭部の形状を作成することができる。
【００２５】
頸部は、平均的な体形を想定した人形を作成する場合、頭部より細く作成する必要があるため、顔面部のように切り開き部分を使用して接続せずに、頭部ホース１１と頭部ホース１２の接するホースの縁部分を、縫製などにより接続すればよい。頸部から下の頭部ホース１１は、例えば面ファスナーなどを両端に取り付け、頸部の真下で自由に開閉できるようにすることで、頭部内に重り等を配置することができる。頸部から下の頭部ホース１２は、例えば面ファスナーなどを両端に取り付け、胴体の帯状部材２７の上部を挟むように両端を接続することで、胴体部２に接続することができる。より忠実に顔面部分を再現するため、鼻を取り付ける場合は、例えば、消防ホース等の繊維製品を使用し、鼻を模して三角錐の形状に成型した鼻１３を、頭部ホース１１の前側中央付近を三角形にくりぬいて切断した穴の頭部内側面から挿入し、縫製などにより接続すればよい。
【００２６】
左腕３の実施形態は、作成したい体形の種類に適した長さ、および太さで作成した、図３で示す帯状部材７を、複数組み合わせて作成する。なお、左前腕の帯状部材３１には、別の部材で作成した手首および手を接続した構造とする。まず、図２のように、左上腕の帯状部材３０を、胴体の帯状部材２０の左腕側に通して両端を接続し、輪を介して繋がった状態とする。そして、図１および図６に示すように、左上腕の帯状部材３０に、左上腕の帯状部材３２、左上腕の帯状部材３３、左上腕の帯状部材３４を格子状に組み合わせ、左前腕の帯状部材３１に、左前腕の帯状部材３５、左前腕の帯状部材３６、左前腕の帯状部材３７を格子状に組み合わせる。そして、腕接続用帯状部材３８を、図６のように格子状に左腕全体に編みこみ、左前腕部および左上腕部をこの帯状部材を介して接続させ、腕接続用帯状部材３８の両端同士を面ファスナーなどにより輪状に接続することで左腕３を作成する。また、図６で示すように、肘関節部分では、体前面側のみに腕接続用帯状部材３８を通すことで、蝶番の機能を持たせることができ、実際の人体の肘関節のように一方向のみに屈曲する関節構造を再現できる。このように、図３に示す帯状部材７を複数組み合わせる構造とすることで、左腕を構成する帯状部材が破損した場合は、その破損した帯状部材の面ファスナー等の接続箇所を離脱することで容易に交換、修理することができる。また、左上腕部および左前腕部を構成する帯状部材のいずれかの接続箇所を、それぞれ一箇所ずつ離脱することで、左上腕部および左前腕部の内部空間にアクセスし、重り等の配置、交換等を容易に行うことができる。
【００２７】
右腕４の実施形態は、作成したい体形の種類に適した長さ、および太さで作成した、図３で示す帯状部材７を、複数組み合わせて作成する。なお、右前腕の帯状部材４１には、別の部材で作成した手首および手を接続した構造とする。まず、図２のように、右上腕の帯状部材４０を、胴体の帯状部材２０の右腕側に通して両端を接続し、輪を介して繋がった状態とする。そして、図１および図６の左腕の例に示すように、右上腕の帯状部材４０に、右上腕の帯状部材４２、右上腕の帯状部材４３、右上腕の帯状部材４４を格子状に組み合わせ、右前腕の帯状部材４１に、右前腕の帯状部材４５、右前腕の帯状部材４６、右前腕の帯状部材４７を格子状に組み合わせる。そして、腕接続用帯状部材４８を、図６の左腕の例と同じように格子状に右腕全体に編みこみ、右前腕部および右上腕部をこの帯状部材を介して接続させ、腕接続用帯状部材４８の両端同士を面ファスナーなどにより輪状に接続することで右腕４を作成する。また、図６の左腕の例で示すように、肘関節部分では、体前面側のみに腕接続用帯状部材４８を通すことで、蝶番の機能を持たせることができ、実際の人体の肘関節のように一方向のみに屈曲する関節構造を再現できる。このように、図３に示す帯状部材７を複数組み合わせる構造とすることで、右腕を構成する帯状部材が破損した場合は、その破損した帯状部材の面ファスナー等の接続箇所を離脱することで容易に交換、修理することができる。また、右上腕部および右前腕部を構成する帯状部材のいずれかの接続箇所を、それぞれ一箇所ずつ離脱することで、右上腕部および右前腕部の内部空間にアクセスし、重り等の配置、交換等を容易に行うことができる。
【００２８】
左右の手の実施形態については、図６の左手の分解斜視図を例に説明する。左前腕の帯状部材３１は、人体の左手を模して成形した手３１Ａ、および輪状になった手首３１Ｂと前腕帯状部材３１Ｃから構成されている。まず、手３１Ａは、消防ホースでの作成の一例を元に説明する。適当な太さの消防ホースを、成人の手のひらの長さを持たせて、指の形に切断した後、図６に示すように指の表面、裏面を縫製などにより接着させ、手袋状の形状にして、その内側にホースの切れ端などを詰め、実際の人体の手のようにふくらみを持たせればよい。そして、前腕帯状部材３１Ｃの中間の折り返し部分を、手袋状になった手３１Ａの手首側から蓋をするように挿入し、縫製などにより接続すればよい。さらに、前腕帯状部材３１Ｃと手３１Ａの接続部分の中空になっている箇所に、消防ホース等で作成した手首３1Ｂを縫製などにより接続し覆うことで、実際の人体の手首のように掴みやすい構造となる。図６の左手の実施形態を例に説明したが、右手の実施形態についても指の向きが正反対に変わるだけであり、その他は左手と同様に作成する。
【００２９】
左脚５の実施形態は、作成したい体形の種類に適した長さ、および太さで作成した、図３で示す帯状部材７を、複数組み合わせて作成する。なお、左下腿の帯状部材５１には、別の部材で作成した足首および足を接続した構造とする。まず、図２のように、左大腿の帯状部材５０を、胴体の帯状部材２８の下部に通して両端を接続し、輪を介して繋がった状態とする。そして、図１および図７に示すように、左大腿の帯状部材５０に、左大腿の帯状部材５２、左大腿の帯状部材５３、左大腿の帯状部材５４を格子状に組み合わせ、左下腿の帯状部材５１に、左下腿の帯状部材５５、左下腿の帯状部材５６、左下腿の帯状部材５７を格子状に組み合わせる。そして、脚接続用帯状部材５８を、図６のように格子状に左脚全体に編みこみ、左大腿部および左下腿部をこの帯状部材を介して接続させ、脚接続用帯状部材５８の両端同士を面ファスナーなどにより輪状に接続することで左脚５を作成する。また、図６で示すように、膝関節部分では、体背面側のみに脚接続用帯状部材５８を通すことで、蝶番の機能を持たせることができ、実際の人体の膝関節のように一方向のみに屈曲する関節構造を再現できる。このように、図３に示す帯状部材７を複数組み合わせる構造とすることで、左脚を構成する帯状部材が破損した場合は、その破損した帯状部材の面ファスナー等の接続箇所を離脱することで容易に交換、修理することができる。また、左大腿部および左下腿部を構成する帯状部材のいずれかの接続箇所を、それぞれ一箇所ずつ離脱することで、左大腿部および左下腿部の内部空間にアクセスし、重り等の配置、交換等を容易に行うことができる。
【００３０】
右脚６の実施形態は、作成したい体形の種類に適した長さ、および太さで作成した、図３で示す帯状部材７を、複数組み合わせて作成する。なお、右下腿の帯状部材６１には、別の部材で作成した足首および足を接続した構造とする。まず、図２のように、右大腿の帯状部材６０を、胴体の帯状部材２６の下部に通して両端を接続し、輪を介して繋がった状態とする。そして、図１および図７の左脚の例に示すように、右大腿の帯状部材６０に、右大腿の帯状部材６２、右大腿の帯状部材６３、右大腿の帯状部材６４を格子状に組み合わせ、右下腿の帯状部材６１に、右下腿の帯状部材６５、右下腿の帯状部材６６、右下腿の帯状部材６７を格子状に組み合わせる。そして、脚接続用帯状部材６８を、図７の左脚の例と同じように格子状に右脚全体に編みこみ、右大腿部および右下腿部をこの帯状部材を介して接続させ、脚接続用帯状部材６８の両端同士を面ファスナーなどにより輪状に接続することで右脚６を作成する。また、図６の左脚の例で示すように、膝関節部分では、体背面側のみに脚接続用帯状部材６８を通すことで、蝶番の機能を持たせることができ、実際の人体の膝関節のように一方向のみに屈曲する関節構造を再現できる。このように、図３に示す帯状部材７を複数組み合わせる構造とすることで、右脚を構成する帯状部材が破損した場合は、その破損した帯状部材の面ファスナー等の接続箇所を離脱することで容易に交換、修理することができる。また、右大腿部および右下腿部を構成する帯状部材のいずれかの接続箇所を、それぞれ一箇所ずつ離脱することで、右大腿部および右下腿部の内部空間にアクセスし、重り等の配置、交換等を容易に行うことができる。
【００３１】
左右の足の実施形態については、一例として消防ホースで作成した、図７の左足の分解斜視図を例に説明する。左下腿の帯状部材５１は、人体の左足を模して成形した足５１Ａ、および輪状になった足首５１Ｂと下腿帯状部材５１Ｃから構成されている。まず、足５１Ａは、消防ホースを、成人の足の２倍ほどの長さを持たせて切断し、そのホースの中央で二つ折りにした時、折り返し部分を踵、両端が合わさった部分をつま先となるように、足の両側面を縫製などにより接続し、袋状となった足内部にホースの切れ端などを入れ、実際の人体の足のようにふくらみを持たせればよい。さらに、つま先に相当する、両端を合わせた部分を指の形に切断し、縫製などにより繋ぎ合わせることで、図７に示す足５１Ａが作成できる。そして、下腿帯状部材５１Ｃの中間の折り返し部分を、足５１Ａに縫製などにより接続し、その接続箇所の中空になった部分に、消防ホース等で作成した足首５１Ｂを覆うように縫製などにより接続することで、左下腿の帯状部材５１となる。図７の左足の実施形態を例に説明したが、右足の実施形態についても指の向きが正反対に変わるだけであり、その他は左足と同様に作成する。
【００３２】
図１に示す、成人を模した救助訓練用人形において、胴体部、腕、および脚から、帯状部材を複数抜き取り、その他の帯状部材の長さを再調整することにより、図４に示す小児体形の救助訓練用人形を作成することができる。
【００３３】
例えば、成人の胴体部２から、胴体の帯状部材２４、および胴体の帯状部材２５を離脱し抜き取り、残りの胴体の帯状部材２０、胴体の帯状部材２１、胴体の帯状部材２２、胴体の帯状部材２３、胴体の帯状部材２６、胴体の帯状部材２７、胴体の帯状部材２８、胴体側面の帯状部材２９の輪の大きさを小さくして再接続することで、成人の胴体部より短く細い、図４に示す小児体形の胴体部ができる。
【００３４】
左腕については、例えば、図１に示す成人の左上腕部から左上腕の帯状部材３４を抜き取り、左前腕部から左前腕の帯状部材３５を抜き取り、残りの左上腕の帯状部材３０、左上腕の帯状部材３２、左上腕の帯状部材３３、左前腕の帯状部材３１、左前腕の帯状部材３６、左前腕の帯状部材３７、腕接続用帯状部材３８の輪の大きさを小さくして再接続することにより、成人の左腕より短く、細い、図４に示す小児体形の左腕を作成することができる。右腕についても、対となる帯状部材を同じように抜き取り、長さを再調整することで、図４に示す小児体形の右腕を作成することができる。
【００３５】
腕と同じように、脚の向きに対し垂直に編みこまれている帯状部材を、左右の大腿部、および下腿部から、それぞれ一本ずつ抜き取り、残りの帯状部材の輪の大きさを小さくし再接続することで、成人の脚より短く細い、図４に示す小児体形の左右の脚を作成することができる。
【００３６】
すべての外皮に消防ホースを使用し試作した、図１に示す成人を模した救助訓練用人形の内部に、重りに使用する容器の一例としてペットボトルを使用する場合、図８に示すとおり、計１８本のペットボトルを配置することができる。頭部には５００ｍｌのペットボトルを４本、胴体部には２，０００ｍｌのペットボトルを６本、左右の上腕部には１，０００ｍｌのペットボトルを各１本、左右の前腕部には１，０００ｍｌのペットボトルを各１本、左右の大腿部には２，０００ｍｌのペットボトルを各１本、左右の下腿部には１，５００ｍｌのペットボトルを各１本配置することで、合計２５，０００ｍｌの重りを配置することができる。
【００３７】
成人を模して試作した救助訓練用人形の外皮部分のみの場合、重量は約１１ｋｇであるため、配置するすべてのペットボトル内部に比重１．０の水を封入した場合、重りのみの重量が約２５ｋｇとなり、外皮と合わせて約３６ｋｇの救助訓練用人形を作成できる。配置するすべてのペットボトル内部に比重１．７の砂を封入した場合、重りのみの重量が約４２．５ｋｇとなり、外皮と合わせて約５３．５ｋｇの救助訓練用人形を作成できる。また、配置するすべてのペットボトル内部に比重１．７の砂を封入した後、さらに水を充満させることにより比重は約２．０となり、この場合の重りのみの重量が約５０ｋｇとなるため、外皮と合わせて約６１ｋｇの救助訓練用人形が作成できる。このように、封入する物質の異なる容器等を、訓練内容に合わせ人形内に詰め替えることで、様々な被災者の体重を再現することができる。さらに体重を調整したい場合は、胴体、腕、脚の向きに対し垂直に編みこまれている帯状部材の輪を大きく再調整することにより、より容量の大きいペットボトルを配置することや、配置する本数を増やすことで重量を増すことができ、逆の方法により、重量を減じることもできる。
【００３８】
本実施形態では、救助訓練用人形の内部に配置する重りの一例として、容器ではペットボトル、封入物質としては砂、水を使用したが、他にも水嚢などの袋や筒状の容器などに、砂、水とは異なる液体や粉末状の物質を封入してもよく、容器や封入物質について、特にこだわるものではない。また、容器等に収納せずに、人形の各部位の内部空間に収納できる大きさに加工した重量物、例えば木材やゴム、プラスチックなどの合成樹脂、または金属といった固形物を、直接人形内に配置させることも可能である。
【００３９】
また、救助訓練用人形の内部に配置するものとして、例えばトランシーバーや携帯電話など、音声を発生する通信機器、または音声を自動再生するスピーカー装置などを収納することもできる。これにより、訓練で救助訓練用人形を使用する際、被災者を模した救助訓練用人形と実際に会話し、被災時の情報収集や負傷部位の聞き取りなどを訓練の中で実施することが可能となり、より臨場感のある、バリエーションに富んだ訓練実施に寄与することができる。
【００４０】
この通信機器やスピーカー装置は、内部の重りに圧迫され破損することや、収納位置がずれて音声が聞こえなくなることを防ぐため、内部の決められた位置に収納、固定する構造にするほうが望ましい。固定する位置は、救助訓練用人形のどの部分でもよいが、頭部1の顔面部付近の内部に固定することにより、実際に被災者が話しているような状況を再現できる。収納および固定方法は、例えば内部空間の重りと区切って収納できるポケット構造を設けることや、面ファスナーやバックルを両端に取り付けたバンドで挟むように固定してもよく、特にこだわるものではない。
【産業上の利用可能性】
【００４１】
本救助訓練用人形は、従来の救助訓練用人形にはなかった、一体のみで身長や体形、重量に可変性を持たせることができること、部分ごとの離脱が容易なことから、様々な体形の被災者の再現、四肢の離脱といった負傷状況を再現し、バリエーションに富む訓練の実施が可能となり、防災機関の救助活動能力の向上、ならびに災害被災者の救命率向上に寄与することが期待できる。
【符号の説明】
【００４２】
１    頭部
２    胴体部
３    左腕
４    右腕
５    左脚
６    右脚
７    帯状部材
８    面ファスナー取り付け部
９    面ファスナー取り付け部
１１    頭部ホース
１１Ａ    頭部接続部
１１Ｂ    頭部接続部
１１Ｃ    頭部接続部
１１Ｄ    頭部接続部
１２    頭部ホース
１２Ａ    頭部接続部
１２Ｂ    頭部接続部
１２Ｃ    頭部接続部
１２Ｄ    頭部接続部
１３    鼻
２０    胴体の帯状部材
２１    胴体の帯状部材
２２    胴体の帯状部材
２３    胴体の帯状部材
２４    胴体の帯状部材
２５    胴体の帯状部材
２６    胴体の帯状部材
２７    胴体の帯状部材
２８    胴体の帯状部材
２９    胴体側面の帯状部材
３０    左上腕の帯状部材
３１    左前腕の帯状部材
３１Ａ    手
３１Ｂ    手首
３１Ｃ    前腕帯状部材
３２    左上腕の帯状部材
３３    左上腕の帯状部材
３４    左上腕の帯状部材
３５    左前腕の帯状部材
３６    左前腕の帯状部材
３７    左前腕の帯状部材
３８    腕接続用帯状部材
４０    右上腕の帯状部材
４１    右前腕の帯状部材
４２    右上腕の帯状部材
４３    右上腕の帯状部材
４４    右上腕の帯状部材
４５    右前腕の帯状部材
４６    右前腕の帯状部材
４７    右前腕の帯状部材
４８    腕接続用帯状部材
５０    左大腿の帯状部材
５１    左下腿の帯状部材
５１Ａ    足
５１Ｂ    足首
５１Ｃ    下腿帯状部材
５２    左大腿の帯状部材
５３    左大腿の帯状部材
５４    左大腿の帯状部材
５５    左下腿の帯状部材
５６    左下腿の帯状部材
５７    左下腿の帯状部材
５８    脚接続用帯状部材
６０    右大腿の帯状部材
６１    右下腿の帯状部材
６２    右大腿の帯状部材
６３    右大腿の帯状部材
６４    右大腿の帯状部材
６５    右下腿の帯状部材
６６    右下腿の帯状部材
６７    右下腿の帯状部材
６８    脚接続用帯状部材
【図１】
0006638137.tif 000002
【図２】
0006638137.tif 000003
【図３】
0006638137.tif 000004
【図４】
0006638137.tif 000005
【図５】
0006638137.tif 000006
【図６】
0006638137.tif 000007
【図７】
0006638137.tif 000008
【図８】
0006638137.tif 000009